(57)【要約】【課題】  この発明は、原稿のサイズを検出するための原稿検出器によって、原稿を検出できると同時に原稿先端部を押さえることができ、原稿の先端部が屈曲している場合でも、給紙が安定して行われるようになる原稿自動送り装置を提供することを目的とする。【解決手段】  原稿自動送り装置において、原稿自動送り装置にセットされた原稿の先端部が挿入される原稿挿入口に原稿サイズを検出するための複数の原稿検出器が間隔をおいて配置されており、各原稿検出器は、原稿自動送り装置にセットされた原稿の先端によって揺動せしめられるアクチュエータと、アクチュエータが原稿先端によって揺動される方向と反対方向にアクチュエータを付勢する付勢部材を備えおり、原稿先端によってアクチュエータが揺動せしめられたときに、付勢部材の付勢力によって原稿先端部が押さえられる。【選択図】  図５
2005067858.tif 000002
【特許請求の範囲】
【請求項１】
原稿自動送り装置にセットされた原稿の先端部が挿入される原稿挿入口に原稿サイズを検出するための複数の原稿検出器が間隔をおいて配置されており、各原稿検出器は、原稿自動送り装置にセットされた原稿の先端によって揺動せしめられるアクチュエータと、アクチュエータが原稿先端によって揺動される方向と反対方向にアクチュエータを付勢する付勢部材を備えおり、原稿先端によってアクチュエータが揺動せしめられたときに、付勢部材の付勢力によって原稿先端部が押さえられることを特徴とする原稿自動送り装置。
【発明の詳細な説明】
【技術分野】
【０００１】
この発明は、原稿自動送り装置に関するものである。
【背景技術】
【０００２】
図１は、原稿自動送り装置の外観を示している。
【０００３】
図１において、１は原稿がセットされる原稿セット台、２は互いに接近離間可能に原稿セット台１に支持された左右一対の原稿ガイドレール、３は原稿セット台にセットされた原稿の先端部が挿入される原稿挿入口、４は画像読み取り後の原稿が排出される原稿排出口、５は原稿排出口４から排出された原稿が蓄積される排出原稿トレイである。
【０００４】
原稿セット台１にセットされた原稿は、原稿挿入口３の内側に配置された図示しない給紙ローラおよびさばきローラ対によって、１枚ずつ取り込まれ、原稿読み取り位置を通って、原稿排出口４から排出原稿トレイ５上に排出される。
【０００５】
ところで、原稿の先端が屈曲している場合には、給紙がスムーズに行われないという問題がある。
【特許文献１】特開平１−１７２１４７号公報
【発明の開示】
【発明が解決しようとする課題】
【０００６】
この発明は、原稿のサイズを検出するための原稿検出器によって、原稿を検出できると同時に原稿先端部を押さえることができ、原稿の先端部が屈曲している場合でも、給紙が安定して行われるようになる原稿自動送り装置を提供することを目的とする。
【課題を解決するための手段】
【０００７】
請求項１に記載の発明は、原稿自動送り装置にセットされた原稿の先端部が挿入される原稿挿入口に原稿サイズを検出するための複数の原稿検出器が間隔をおいて配置されており、各原稿検出器は、原稿自動送り装置にセットされた原稿の先端によって揺動せしめられるアクチュエータと、アクチュエータが原稿先端によって揺動される方向と反対方向にアクチュエータを付勢する付勢部材を備えおり、原稿先端によってアクチュエータが揺動せしめられたときに、付勢部材の付勢力によって原稿先端部が押さえられることを特徴とする原稿自動送り装置。
【発明の効果】
【０００８】
この発明によれば、原稿のサイズを検出するための原稿検出器によって、原稿を検出できると同時に原稿先端部を押さえることができ、原稿の先端部が屈曲している場合でも、給紙が安定して行われるようになる。
【発明を実施するための最良の形態】
【０００９】
以下、図面を参照して、この発明の実施例について説明する。
【実施例１】
【００１０】
図１は、原稿自動送り装置の外観を示している。
【００１１】
図１において、１は原稿がセットされる原稿セット台、２は互いに接近離間可能に原稿セット台１に支持された左右一対の原稿ガイドレール、３は原稿セット台にセットされた原稿の先端部が挿入される原稿挿入口、４は画像読み取り後の原稿が排出される原稿排出口、５は原稿排出口４から排出された原稿が蓄積される排出原稿トレイである。
【００１２】
原稿セット台１にセットされた原稿は、原稿挿入口３の内側に配置された図示しない給紙ローラおよびさばきローラ対によって、１枚ずつ取り込まれ、原稿読み取り位置を通って、原稿排出口４から排出原稿トレイ５上に排出される。
【００１３】
原稿挿入口３には、図２に示すように、幅中央Ｍから一方側には、原稿サイズを検出するために、複数の原稿検出器１１〜１５が間隔をおいて配置されている。これらの紙検出器１１〜１５は、後述するように、原稿の先端を押さえる機能を備えている。
【００１４】
また、原稿挿入口３の幅中央Ｍから他方側には、上記原稿検出器１１〜１５とほぼ同様な構造でかつ原稿検知のための検知部が設けられていない複数の原稿押さえ２１〜２５が間隔をおいて配置されている。
【００１５】
原稿検出器１１はＢ５Ｒ以上の原稿を検出できる位置に、原稿検出器１２はＡ４Ｒ以上の原稿を検出できる位置に、原稿検出器１３はＢ４Ｒ以上の原稿を検出できる位置に、原稿検出器１４はComputer Form 以上の原稿を検出できる位置に、原稿検出器１５はＡ３Ｒ以上の原稿を検出できる位置に、配置されている。各原稿検出器１１〜１５の構造は同じである。
【００１６】
各原稿押さえ２１〜２５は、原稿挿入口３の幅中央Ｍを中心として、各原稿検出器１１〜１５と対称な位置に配置されている。
【００１７】
図３および図４は、原稿検出器１１の構造を示している。
【００１８】
原稿セット台側から原稿挿入口３を見た方向を正面ということにする。図３は、原稿検出器１１の背面図を示し、図４は図３の側面図を示している。
【００１９】
原稿検出器１１は、正面から見て、逆Ｕ形のアクチュエータ保持体３１と、アクチュエータ保持体３１に回転自在に支持された回転軸３２と、回転軸３２に固定されたアクチュエータ３３とを備えている。５１は原稿挿入口３に配置された上ガイドであり、５２は下ガイドである。アクチュエータ３３の下端部は、下ガイド５２に開けられたスリットを貫通している。
【００２０】
回転軸３２の周囲には、ばね３４が嵌められている。このばね３４の一端はアクチュエータ３３の原稿挿入方向の下流側端に掛けられており、他端はアクチュエータ保持体３１の原稿挿入方向の下流側端に掛けられている。このばね３４はアクチュエータ３３を、回転軸３２の中心線を中心として図４において反時計方向に付勢しているが、アクチュエータ３３の下端部が下ガイド５２のスリットの原稿挿入方向の上流側端に当接するため、アクチュエータ３３は、図４に示すように、常時は、垂直な状態を保持している。
【００２１】
アクチュエータ保持体３１には、アクチュエータ３３の上端部を挟む配置で、投光部４１と受光部４２とからなるフォトセンサが設けられている。常時は、投光部４１から出射した光は、アクチュエータ３３の上端部によって遮断されるので、受光部４２には光が入射していない。受光部４２が光を検出していない場合には、フォトセンサは原稿を検出していないことを示す信号を出力する。なお、矢印Ａは、原稿挿入方向を示している。
【００２２】
原稿が原稿セット台１にセットされると、図５に示すように、原稿セット台１にセットされた原稿Ｇの先端がアクチュエータ３３の下部を押すので、アクチュエータ３３は、ばね３４の付勢力に抗して、回転軸３２の中心線を中心として矢印Ｂの方向に揺動する。アクチュエータ３３が矢印Ｂの方向に揺動すると、ばね３４によって、アクチュエータ３３を矢印Ｂと反対方向に付勢されるため、原稿Ｇの先端部がアクチュエータ３３の先端部によって下ガイド５２側に押さえられる。
【００２３】
このように、アクチュエータ３３が矢印Ｂの方向に揺動すると、投光部４１から出射した光は、受光部４２に入射するようになるので、フォトセンサは原稿を検出していることを示す信号を出力する。したがって、原稿幅内に存在する原稿検出器１１〜１５によって、原稿が検出されるので、各原稿検出器１１〜１５の出力に基づいて、原稿サイズを検出することができる。また、原稿幅内に存在する原稿検出器１１〜１５によって原稿の先端が下ガイド５２側に押さえられる。
【００２４】
各原稿押さえ２１〜２５の構造は、原稿検出器１１の構造とほぼ同じであるが、投光部４１と受光部４２とからなるフォトセンサが設けられてない点で、原稿検出器１１の構造と異なっている。したがって、原稿の先端部は、原稿幅内に存在する原稿押さえ２１〜２５によっても、下ガイド５２側に押さえられる。
【００２５】
このように原稿幅内に存在する原稿検出器１１〜１５および原稿押さえ２１〜２５によって、原稿の先端部が下ガイド５２側に押さえられるので、原稿の先端部が屈曲している場合でも、給紙が安定して行われるようになる。
【００２６】
なお、各原稿押さえ２１〜２５の代わりに、上記原稿検出器と同じ構造の原稿検出器を設けてもよい。
【図面の簡単な説明】
【００２７】
【図１】原稿自動送り装置の外観を示す斜視図である。
【図２】原稿挿入口３に設けられた原稿検出器１１〜１５および原稿押さえ２１〜２５を示す、原稿セット台側から原稿挿入口３を見た図である。
【図３】原稿検出器１１の背面図である。
【図４】図３の側面図である。
【図５】原稿セット台１にセットされた原稿Ｇの先端によってアクチュエータ３３の下部が押されることにより、アクチュエータ３３が揺動した状態を示す側面図である。
【符号の説明】
【００２８】
１１〜１５  原稿検出器
２１〜２５  原稿押さえ
【図１】
2005067858.tif 000003
【図２】
2005067858.tif 000004
【図３】
2005067858.tif 000005
【図４】
2005067858.tif 000006
【図５】
2005067858.tif 000007